(57)【要約】      （修正有）【課題】電線の接地箇所に取付けられる電線接地箇所取付カバーが、熱膨張や経年劣化により取付け箇所から移動することが無く、且つ、接地作業が容易に行える電線接地箇所取付カバーを提供する。【解決手段】カバー本体１０と、カバー本体の内側に複数個が複数列に配列されたボス２０とを有し、ボスは、カバー本体が配電線の接地箇所に円筒状に取付けられたとき、複数列が接地箇所を取り囲むべく所定の位置に配列され、配列の長さは、配電線の接地箇所の長さに等しく所定の等間隔で配列され、且つ、ボスは、針状の形状を有し、針状の先端が折れ曲がって配電線の接地箇所を把持する長さを有する。【選択図】図１
2012182950.tif 000002
【特許請求の範囲】
【請求項１】
配電線の所定の箇所において、被覆の一部が取り除かれた接地箇所に取付けられる電線接地箇所取付カバーであって、
カバー本体と、前記カバー本体の内側に複数個が複数列に配列されたボスとを有し、
前記ボスは、前記カバー本体が前記配電線の接地箇所に円筒状に取付けられたとき、前記複数列が配列され、
前記配列の長さは、前記配電線の接地箇所の長さに等しく所定の等間隔で配列され、
且つ、前記ボスは、針状の形状を有し、前記針状の先端が折れ曲がって前記配電線の接地箇所を把持する長さを有することを特徴とする電線接地箇所取付カバー。
【請求項２】
前記配列の一端側には、前記複数列の両端の位置にあって、前記配電線の被覆部と接触する箇所に、矩形の形状のボスをそれぞれ有し、
前記矩形の形状のボスは、前記配電線の被覆部と接触して横ズレを防止することを特徴とする請求項１に記載の電線接地箇所取付カバー。
【請求項３】
前記配列の他端側には、前記針状の形状のボスと同様の位置に配列され、且つ、前記針状の形状のボスに比べて長さが短い針状の形状の複数のボスを有し、
前記長さは、前記針状の先端が折れ曲がって前記配電線の被覆部を把持する長さを有することを特徴とする請求項１又は２に記載の電線接地箇所取付カバー。
【発明の詳細な説明】
【技術分野】
【０００１】
本発明は、配電線の接地箇所に取付けられる電線接地箇所取付カバーに係り、より詳しくは、熱膨張や経年劣化により当該カバーが取付け箇所から移動することの無い電線接地箇所取付カバーに関する。
【背景技術】
【０００２】
配電線の所定の箇所には、一部被覆を取り除いた接地箇所が設けられ、通常はカバーで覆われているが、配電線の点検、切換え等を行う際に、この接地箇所が接地に供されている。図５は、従来の電線接地箇所取付カバーの構造を示すカバー構造図である。図５ａにおいて、従来の電線接地箇所取付カバー２００は、のり巻き構造を成し、長方形のカバー本体５０と、長方形の一方の長辺側にあって、長辺方向に左右に、３個づつの矩形ボス６０とを有している。そして、使用においては、図５ｂに示されるようにのり巻き状にして熱を加えることにより、筒状の形状に塑性変形され、且つ、再度、図５ａの状態に伸ばすことも可能な、可逆性を有する程度の弾性を兼ね備えた部品として用いられている。
【０００３】
図６は、電線接地箇所取付カバーの取付工程を示す取付工程図である。図６ａにおいて、カバー取付工具本体９０のカバー巻付け部９３に従来の電線接地箇所取付カバー２００のカバー本体５０が巻き付けられる。つぎに、巻き付けられたカバー本体５０の終端はカバー差込部９５に差し込まれ、カバー取付工具本体９０に電線接地箇所取付カバー２００がセットされる。
【０００４】
図６ｂにおいて、電線接地箇所取付カバー２００がセットされたカバー取付工具本体９０を、配電線の接地箇所８０（図２参照）に近付ける。図６ｃにおいて、カバー取付工具本体９０が配電線の接地箇所８０に十分近づくと、カバー本体５０が伸び切るまで工具本体９０を開き切る。図６ｄにおいて、カバー本体５０は、元に戻ろうとする力で接地箇所８０に巻き付いて元の形に戻り、矩形ボス６０が電線の接地箇所８０を把持し、カバー本体５０の横移動を防止する。
【０００５】
ところが、従来の電線接地箇所取付カバー２００の構造では、熱膨張や経年劣化により、カバー本体５０が広がって、移動防止用の矩形ボス６０が浮いてしまい、移動防止機能が正常に働かない場合があった。しかし、カバーが広がるという特性を利用して、接地を取る際にはカバーを取り外すことなく、配電線上を移動させることにより、接地をとることができる。このため、通常はカバーの外面からバインド線を巻くことにより移動を防止し、接地作業時にはバインドを外してカバーを移動し、必要な作業を行うことができる。しかし、バインドの巻付け、切り離しの作業が増えるため、接地作業が煩雑となるという問題があった。
【０００６】
特許文献１には、絶縁電線カバー装置１０は、ジャンパ線１の回りに弾力を有する絶縁シートを周方向３９に重複するようにして絶縁筒状体３０を形成し、重複部分３１に仮留め機能を有すると共に、重複部分３１に絶縁性接着剤を施し、仮留め構造３５は、重複部分３１の外側絶縁シート３３の内面に絶縁筒状体３０の長手方向に延びる凹部２３を形成し、重複部分３１の内側絶縁シート３２の外面に絶縁筒状体３０の長手方向に延びる凸部２４を形成し、凹部２３と凸部２４とで嵌め込み可能なものの記載がある。
【先行技術文献】
【特許文献】
【０００７】
【特許文献１】特開２００７−１４１２３号公報
【発明の概要】
【発明が解決しようとする課題】
【０００８】
本発明は、このような問題を解決するためになされたものであり、その目的は、配電線の接地箇所に取付けられる電線接地箇所取付カバーが、熱膨張や経年劣化により取付け箇所から移動することが無く、且つ、接地作業が容易に行える電線接地箇所取付カバーを提供する。
【課題を解決するための手段】
【０００９】
本発明の電線接地箇所取付カバーは、配電線の所定の箇所において、被覆の一部が取り除かれた接地箇所に取付けられる電線接地箇所取付カバーであって、カバー本体と、カバー本体の内側に複数個が複数列に配列されたボスとを有し、ボスは、カバー本体が配電線の接地箇所に円筒状に取付けられたとき、複数列が接地箇所を取り囲むべく所定の位置に配列され、配列の長さは、配電線の接地箇所の長さに等しく所定の等間隔で配列され、且つ、ボスは、針状の形状を有し、針状の先端が折れ曲がって配電線の接地箇所を把持する長さを有することを特徴とする。
【００１０】
本発明の電線接地箇所取付カバーの配列の一端側には、複数列の両端の位置にあって、配電線の被覆部と接触する箇所に、矩形の形状のボスをそれぞれ有し、矩形の形状のボスは、配電線の被覆部と接触して横ズレを防止することを特徴とする。
【００１１】
本発明の電線接地箇所取付カバーの配列の他端側には、前記針状の形状のボスと同様の位置に配列され、且つ、前記針状の形状のボスに比べて長さが短い針状の形状の複数のボスを有し、長さは、針状の先端が折れ曲がって配電線の被覆部を把持する長さを有することを特徴とする。
【発明の効果】
【００１２】
本発明によれば、配電線の接地箇所に取付けられる電線接地箇所取付カバーが、熱膨張や経年劣化により取付け箇所から移動することが無く、且つ、接地作業が容易に行える電線接地箇所取付カバーを提供することができる。
【図面の簡単な説明】
【００１３】
【図１】本発明による電線接地箇所取付カバーの構造図。
【図２】本発明の電線接地箇所取付カバーの電線取付け図。
【図３】本発明の電線接地箇所取付カバーによる接地工程開始図。
【図４】本発明の電線接地箇所取付カバーによる接地工程終了図。
【図５】従来の電線接地箇所取付カバー構造図。
【図６】電線接地箇所取付カバーの取付工程図。
【発明を実施するための形態】
【実施例】
【００１４】
本発明の実施の形態について、図を用いて説明する。図１は、本発明による電線接地箇所取付カバーの構造図である。図１ａ、ｂにおいて、本発明による電線接地箇所取付カバー１００は、図５と同様にのり巻き構造を成し、長方形のカバー本体１０と、長方形の一方の長辺側にあって、長辺方向に複数個が複数列に配列されたボス２０とを有している。また、ボス２０は、従来の電線接地箇所取付カバー２００と同様に、カバー本体１０が配電線の接地箇所８０に円筒状に取付けられる部品構造を成している（図２参照）。
【００１５】
複数列のボス２０も図５と同様の位置に、３列に配列されている。また、配列の長さは、配電線の接地箇所８０の長さに等しく所定の間隔で配列されている。これらボス２０の形状は、針状の形状を有して、針状の先端が折れ曲がって配電線の接地箇所８０を把持する長さを有している。これにより、ボス２０は配電線の接地箇所８０を確実に把持することが可能となるため、カバー本体１０が熱膨張や経年劣化により取付け箇所から移動するという不具合が無くなる。
【００１６】
また、電線接地箇所取付カバー１００のボス２０の配列の一端側に、その３列に配列されたボス２０の両端の位置にあって、配電線の被覆部７０と接触する箇所に、矩形の形状のボス３０を有する構造とする。これにより、矩形の形状のボス３０は、図２において説明するように、配電線の被覆部７０と接触して、被覆部７０方向の横ズレを防止することができる。
【００１７】
また、電線接地箇所取付カバー１００のボス２０の配列の他端側に、針状の形状のボス２０と同様の位置に配列され、且つ、針状の形状のボス２０に比べて長さが短い針状の形状の複数のボス４０を有する構造とする。これにより、短い針状の形状のボス４０は、図２において説明するように、配電線の被覆部７０を確実に把持して、被覆部７０方向の横ズレを防止することができる。
【００１８】
図２は、本発明の電線接地箇所取付カバーの電線取付け図である。図２において、電線接地箇所取付カバー１００は図６と同様に、配電線の接地箇所８０に取付けられる。このようにして取付けられた電線接地箇所取付カバー１００のボス２０は、配電線の接地箇所８０を確実に把持し、矩形の形状のボス３０は、配電線の被覆部７０と接触し、矩形の形状のボス３０は、配電線の被覆部７０を確実に把持して、より一層電線接地箇所取付カバー１００の横ズレを防止することができる。
【００１９】
図３は、本発明の電線接地箇所取付カバーによる接地工程開始図である。図３において、接地を取る際にはカバー本体１０を取り外すことなく矢印方向に配電線上を移動させるが、ボス２０，４０の先端は針形状であるため容易に移動できる。また、ボス３０はそれぞれ上下に１つずつあるだけであるため移動に支障をきたすことがなく、且つ、反対側の被覆部７０と接触することにより、カバー本体１０が必要以上に横ズレすることを防止することができる。これにより、従来のバインドの巻付け、切り離しの作業等が解消され、接地作業を容易に行うことができる。
【００２０】
図４は、本発明の電線接地箇所取付カバーによる接地工程終了図である。図４において、接地による作業が終了すると、再びカバー本体１０を矢印方向に移動させ、ボス３０が元の被覆部７０と接触する位置まで引き戻し、一連の作業を終了する。
【００２１】
以上説明したように本発明によれば、配電線の接地箇所に取付けられる電線接地箇所取付カバーが、熱膨張や経年劣化により取付け箇所から移動することが無く、且つ、接地作業が容易に行える電線接地箇所取付カバーを提供することができる。
【符号の説明】
【００２２】
１０  カバー本体
２０  長針状ボス
３０  矩形状ボス
４０  短針状ボス
５０  カバー本体
６０  矩形状ボス
７０  電線被覆部
８０  電線接地箇所
９０  カバー取付工具本体
９３  カバー巻付け部
９５  カバー差込部
１００  本発明の電線接地箇所取付カバー
２００  従来の電線接地箇所取付カバー
【図１】
2012182950.tif 000003
【図２】
2012182950.tif 000004
【図３】
2012182950.tif 000005
【図４】
2012182950.tif 000006
【図５】
2012182950.tif 000007
【図６】
2012182950.tif 000008